(57)【要約】【課題】光学素子の保持・位置決めを正確に行い、結果として光学素子が搭載される装置の小型化を図る。【解決手段】金型１１を用いて光学素子６１を成形する成形工程（ステップＳ１）と、光学素子に、所定溶液の液滴吐出によって当該光学素子の光学機能に関連する光学機能関連部７０を所定形状に形成する光学機能関連部形成工程（ステップＳ３）とを備える光学素子の製造方法である。成形工程後に、金型内から取り出された光学成形部品６０の第二軸部６３を保持して、光学素子に光学機能関連部を形成する際の当該光学素子の位置決めを行う位置決め工程を行う（ステップＳ２）。光学機能関連部形成工程後に、架橋部６２を切断する切断工程を行う（ステップＳ７）。【選択図】        図６
2004322362.tif 000002
【特許請求の範囲】
【請求項１】
溶融樹脂が流入され、且つ、光学素子に連設される支軸部を成形するための流入部と、前記流入部に連設され、前記光学素子を成形するための金型キャビティとを有する金型を用いて前記光学素子を成形する成形工程と、前記成形工程にて成形された前記光学素子に、所定溶液の液滴吐出によって当該光学素子の光学機能に関連する光学機能関連部を所定形状に形成する光学機能関連部形成工程とを備える光学素子の製造方法であって、
前記成形工程後に、前記金型内から前記支軸部が連設された状態で取り出された前記光学素子の前記支軸部を保持して、前記光学素子に前記光学機能関連部を形成する際の当該光学素子の位置決めを行う位置決め工程と、
前記光学機能関連部形成工程後に、前記支軸部を切断する切断工程と、
を備えることを特徴とする光学素子の製造方法。
【請求項２】
請求項１に記載の光学素子の製造方法において、
前記光学機能関連部形成工程は、前記光学素子に複数の前記光学機能関連部を重ねて形成することを特徴とする光学素子の製造方法。
【請求項３】
請求項１又は２に記載の光学素子の製造方法において、
前記金型キャビティには、前記光学素子の光学機能面部を成形するための光学機能面部成形部が設けられ、
前記成形工程は、前記金型の前記光学機能面部成形部により前記光学機能面部を成形することを特徴とする光学素子の製造方法。
【請求項４】
請求項３に記載の光学素子の製造方法において、
前記光学機能関連部形成工程は、前記光学素子の前記光学機能面部の略全面を覆うように、当該光学機能面部に入射する光の反射を防止する反射防止コートを形成することを特徴とする光学素子の製造方法。
【請求項５】
請求項３又は４に記載の光学素子の製造方法において、
前記光学機能関連部形成工程は、前記光学素子の前記光学機能面部の一部の領域を覆うように、当該光学機能面部に入射する光束を絞るための絞り部を形成することを特徴とする光学素子の製造方法。
【請求項６】
請求項１〜５の何れか一項に記載の光学素子の製造方法において、
前記金型キャビティには、前記光学素子の光学機能面部以外の部分である非光学機能面部を成形するための非光学機能面部成形部が設けられ、
前記成形工程は、前記金型の前記非光学機能面部成形部により前記非光学機能面部を成形することを特徴とする光学素子の製造方法。
【請求項７】
請求項６に記載の光学素子の製造方法において、
前記光学機能関連部形成工程は、前記光学素子の前記非光学機能面部の少なくとも一部の領域を覆うように、当該非光学機能面部に入射する光を遮光する遮光部を形成することを特徴とする光学素子の製造方法。
【請求項８】
請求項６又は７に記載の光学素子の製造方法において、
前記光学素子の前記非光学機能面部に、所定溶液の液滴吐出によって当該光学素子を管理するための情報を有する管理情報部を所定形状に形成する管理情報部形成工程を備えることを特徴とする光学素子の製造方法。
【請求項９】
請求項１〜８の何れか一項に記載の光学素子の製造方法において、
前記流入部には、所定の保持機構部により保持される被保持部を成形するための被保持部成形部が設けられ、
前記成形工程は、前記金型の前記被保持部成形部により前記被保持部を成形することを特徴とする光学素子の製造方法。
【請求項１０】
請求項９に記載の光学素子の製造方法において、
前記流入部には、前記被保持部の断面積よりも小さい断面積を有するとともに前記光学素子に連設される架橋部を成形するための架橋部成形部が設けられ、
前記成形工程は、前記金型の前記架橋部成形部により前記架橋部を成形することを特徴とする光学素子の製造方法。
【請求項１１】
請求項１〜１０の何れか一項に記載の光学素子の製造方法において、
前記位置決め工程は、前記支軸部或いは前記光学素子の所定位置を画像認識することにより前記光学素子の位置決めを行うことを特徴とする光学素子の製造方法。
【請求項１２】
請求項１０に記載の光学素子の製造方法において、
前記位置決め工程は、前記架橋部の所定位置を画像認識することにより前記光学素子の位置決めを行うことを特徴とする光学素子の製造方法。
【請求項１３】
請求項１〜１２の何れか一項に記載の光学素子の製造方法において、
前記位置決め工程は、前記支軸部或いは前記光学素子の所定位置を所定の位置決め部材に当接させることにより前記光学素子の位置決めを行うことを特徴とする光学素子の製造方法。
【請求項１４】
請求項１〜１３の何れか一項に記載の光学素子の製造方法において、
溶液は、光の被照射により硬化する性質を有する材料を含んで構成され、
前記光学素子に吐出された溶液に対して光を照射することにより当該溶液を硬化させる溶液硬化工程を備え、
前記溶液硬化工程後に、前記切断工程を行うことを特徴とする光学素子の製造方法。
【請求項１５】
請求項１４に記載の光学素子の製造方法において、
溶液は、紫外線硬化性を有する材料を含んで構成され、
前記溶液硬化工程は、溶液に対して紫外線を照射することを特徴とする光学素子の製造方法。
【請求項１６】
溶融樹脂が流入され、且つ、光学素子に連設される支軸部を成形するための流入部と、前記流入部に連設され、前記光学素子を成形するための金型キャビティとを備える金型を有し、前記金型内に溶融樹脂を流入して前記支軸部が連設された前記光学素子を成形する成形部と、前記成形部により成形された前記光学素子に、所定溶液を液滴吐出する液滴吐出ヘッドを有し、前記液滴吐出ヘッドの液滴吐出により当該光学素子の光学機能に関連する光学機能関連部を所定形状に形成する光学機能関連部形成部とを備える光学素子の製造装置であって、
前記成形部により成形され、前記金型内から前記支軸部が連設された状態で取り出された前記光学素子の前記支軸部を保持して、前記光学素子に前記光学機能関連部を形成する際の当該光学素子の位置決めを行う位置決め部と、
前記光学機能関連部形成部により前記光学機能関連部が形成された前記光学素子と前記支軸部とを切断する切断部と、
を備えることを特徴とする光学素子の製造装置。
【請求項１７】
請求項１６に記載の光学素子の製造装置において、
前記光学機能関連部形成部は、前記光学素子に複数の前記光学機能関連部を重ねて形成するように構成されていることを特徴とする光学素子の製造装置。
【請求項１８】
請求項１６又は１７に記載の光学素子の製造装置において、
前記金型キャビティには、前記光学素子の光学機能面部を成形するための光学機能面部成形部が設けられ、
前記成形部は、前記金型の前記光学機能面部成形部により前記光学機能面部を成形するように構成されていることを特徴とする光学素子の製造装置。
【請求項１９】
請求項１８に記載の光学素子の製造装置において、
前記光学機能関連部形成部は、前記液滴吐出ヘッドによって、前記光学素子の前記光学機能面部の略全面を覆うように、当該光学機能面部に入射する光の反射を防止する反射防止コートを形成するように構成されていることを特徴とする光学素子の製造装置。
【請求項２０】
請求項１８又は１９に記載の光学素子の製造装置において、
前記光学機能関連部形成部は、前記液滴吐出ヘッドによって、前記光学素子の前記光学機能面部の一部の領域を覆うように、当該光学機能面部に入射する光束を絞るための絞り部を形成するように構成されていることを特徴とする光学素子の製造装置。
【請求項２１】
請求項１６〜２０の何れか一項に記載の光学素子の製造装置において、
前記金型キャビティには、前記光学素子の光学機能面部以外の部分である非光学機能面部を成形するための非光学機能面部成形部が設けられ、
前記成形部は、前記金型の前記非光学機能面部成形部により前記非光学機能面部を成形するように構成されていることを特徴とする光学素子の製造装置。
【請求項２２】
請求項２１に記載の光学素子の製造装置において、
前記光学機能関連部形成部は、前記液滴吐出ヘッドによって、前記光学素子の前記非光学機能面部の少なくとも一部の領域を覆うように、当該非光学機能面部に入射する光を遮光する遮光部を形成するように構成されていることを特徴とする光学素子の製造装置。
【請求項２３】
請求項２１又は２２に記載の光学素子の製造装置において、
前記光学素子の前記非光学機能面部に、所定溶液を液滴吐出する液滴吐出ヘッドを有し、前記液滴吐出ヘッドの液滴吐出により当該光学素子を管理するための情報を有する管理情報部を所定形状に形成する管理情報部形成部を備えることを特徴とする光学素子の製造装置。
【請求項２４】
請求項１６〜２３の何れか一項に記載の光学素子の製造装置において、
前記位置決め部は、前記支軸部を保持する保持機構部を備え、
前記流入部には、前記保持機構部により保持される被保持部を成形するための被保持部成形部が設けられ、
前記成形部は、前記金型の前記被保持部成形部により前記被保持部を成形するように構成されていることを特徴とする光学素子の製造装置。
【請求項２５】
請求項２４に記載の光学素子の製造装置において、
前記流入部には、前記被保持部の断面積よりも小さい断面積を有するとともに前記光学素子に連設される架橋部を成形するための架橋部成形部が設けられ、
前記成形部は、前記金型の前記架橋部成形部により前記架橋部を成形するように構成されていることを特徴とする光学素子の製造装置。
【請求項２６】
請求項１６〜２５の何れか一項に記載の光学素子の製造装置において、
前記位置決め部は、前記位置決めを行う際に、前記支軸部或いは前記光学素子の所定位置を画像認識する画像認識部を備えることを特徴とする光学素子の製造装置。
【請求項２７】
請求項２５に記載の光学素子の製造装置において、
前記位置決め部は、前記位置決めを行う際に、前記架橋部の所定位置を画像認識する画像認識部を備えることを特徴とする光学素子の製造装置。
【請求項２８】
請求項１６〜２７の何れか一項に記載の光学素子の製造装置において、
前記位置決め部は、前記位置決めを行う際に、前記支軸部或いは前記光学素子の所定位置を当接させるための位置決め部材を備えることを特徴とする光学素子の製造装置。
【請求項２９】
請求項１６〜２８の何れか一項に記載の光学素子の製造装置において、
溶液は、光の被照射により硬化する性質を有する材料を含んで構成され、
前記光学素子に吐出された溶液に対して光を照射する光照射部を備え、
前記光照射部からの光の被照射により溶液が硬化された後に、前記切断部は前記支軸部を切断することを特徴とする光学素子の製造装置。
【請求項３０】
請求項２９に記載の光学素子の製造装置において、
溶液は、紫外線硬化性を有する材料を含んで構成され、
前記光照射部は、溶液に対して紫外線を照射することを特徴とする光学素子の製造装置。
【請求項３１】
請求項１〜１５の何れか一項に記載の光学素子の製造方法によって製造される光学素子であって、
電子機器に搭載される撮像装置に備えられ、前記撮像装置の撮像素子に集光させることを特徴とする光学素子。
【請求項３２】
請求項１〜１５の何れか一項に記載の光学素子の製造方法によって製造される光学素子であって、
光記録媒体上に集光することにより、当該光記録媒体への情報の記録及び前記光記録媒体に記録された情報の再生のうち、少なくとも一方を実行可能な光情報記録再生装置に備えられることを特徴とする光学素子。
【発明の詳細な説明】
【０００１】
【発明の属する技術分野】
本発明は、光学素子の製造方法、光学素子の製造装置及び光学素子に関する。
【０００２】
【従来の技術】
近年、ディジタルスチルカメラ、ビデオカメラ、撮像装置を搭載した携帯電話機等の電子機器の小型化する傾向にあり、それにしたがって、電子機器に搭載される撮像装置の光学素子の小型化も要求されている。このような光学素子の小型化の要求は、銀塩フィルムを用いた所謂アナログカメラでも同様である。また、ＣＤ、ＤＶＤなどの光ディスク等の光ピックアップ装置を備えた電子機器でも、ポータブルプレーヤー化、ノートＰＣ用途や車載機器用途などによって、小型化が進んでおり、光ピックアップ装置に用いられる光学素子の小型化が要求される。
【０００３】
ところで、上記の撮像装置においては、一般的に、不要光カットや視野決定のために、遮光枠を設けたり、レンズ間に絞りを設けたり、或いは撮像レンズに対して塗布などにより遮光マスクを直接施したりするようになっている。
また、一般的に、光ピックアップ装置の光学系においては、半導体レーザ光の透過率を上昇させるために光学素子に対して反射防止コートを施すようになっており、さらに、波長選択性のあるダイクロイックフィルターや対物レンズの光入射方向の手前側には、入射する光束の絞りを設けるようになっている。
【０００４】
しかしながら、上記のように、別部材として遮光枠や絞りを設けると、光軸方向に配置される素子・部材の点数が増加してしまい、装置の大型化やコストアップといった問題が生じてしまう。また、例えば、撮影レンズの小型化に従って絞り板等も小型化する必要があるが、撮像レンズや絞り板等の小型化に起因して、これらの部材の組み込み・組み立てが困難になるという問題も生じてしまう。
【０００５】
ところで、近年、インクジェット方式による画像形成が盛んになってきており、個人用途・業務用途に限らず、広く採用されている。このインクジェット方式を利用して、例えば、プラスチック基材上に着色層を有するプラスチック物品を製造する方法が知られている（例えば、特許文献１参照。）
そこで、かかるインクジェット方式を利用して光学素子そのものに遮光部等の光学機能関連部を形成することにより、部品点数を削減しながらも従来と同じ光学機能を達成することで撮像装置や光学系の小型化が可能と考える。
【０００６】
【特許文献１】
特開平８−２００７６号公報
【０００７】
【発明が解決しようとする課題】
しかしながら、上記特許文献１等の場合、光学素子に所望の光学機能関連部を設けるためには、当該光学素子を正確に保持・位置決めして液滴を着弾させなければならないが、光学素子の寸法が小さくなるにつれて、光学素子を正確に保持・位置決めすることがより困難となるという問題があった。
【０００８】
本発明の課題は、光学素子に対して光学機能関連部を液滴吐出により形成するに際し、光学素子の保持・位置決めを正確に行うことができ、結果として光学素子が搭載される装置の小型化を図ることができる光学素子の製造方法、光学素子の製造装置及び光学素子を提供することである。
【０００９】
【課題を解決するための手段】
請求項１に記載の発明は、溶融樹脂が流入され、且つ、光学素子に連設される支軸部を成形するための流入部と、前記流入部に連設され、前記光学素子を成形するための金型キャビティとを有する金型を用いて前記光学素子を成形する成形工程と、前記成形工程にて成形された前記光学素子に、所定溶液の液滴吐出によって当該光学素子の光学機能に関連する光学機能関連部を所定形状に形成する光学機能関連部形成工程とを備える光学素子の製造方法であって、
前記成形工程後に、前記金型内から前記支軸部が連設された状態で取り出された前記光学素子の前記支軸部を保持して、前記光学素子に前記光学機能関連部を形成する際の当該光学素子の位置決めを行う位置決め工程と、
前記光学機能関連部形成工程後に、前記支軸部を切断する切断工程と、
を備えることを特徴としている。
【００１０】
請求項１６に記載の発明は、溶融樹脂が流入され、且つ、光学素子に連設される支軸部を成形するための流入部と、前記流入部に連設され、前記光学素子を成形するための金型キャビティとを備える金型を有し、前記金型内に溶融樹脂を流入して前記支軸部が連設された前記光学素子を成形する成形部と、前記成形部により成形された前記光学素子に、所定溶液を液滴吐出する液滴吐出ヘッドを有し、前記液滴吐出ヘッドの液滴吐出により当該光学素子の光学機能に関連する光学機能関連部を所定形状に形成する光学機能関連部形成部とを備える光学素子の製造装置であって、
前記成形部により成形され、前記金型内から前記支軸部が連設された状態で取り出された前記光学素子の前記支軸部を保持して、前記光学素子に前記光学機能関連部を形成する際の当該光学素子の位置決めを行う位置決め部と、
前記光学機能関連部形成部により前記光学機能関連部が形成された前記光学素子と前記支軸部とを切断する切断部と、
を備えることを特徴としている。
【００１１】
ここで、光学機能関連部は、主に、光学素子の光透過状態を変化させるといった光学的な機能に関連するものであるが、光透過状態の変化に限られず、この光透過状態の変化以外の光学素子に対する光の作用に関連するものであっても良い。
【００１２】
上記請求項１又は１６に記載の発明によれば、支軸部の切断前において、光学素子に光学機能関連部を液滴吐出により形成する際に、光学素子に連設された支軸部を保持して当該光学素子の位置決めを正確に行うことができる。よって、光学素子に対して液滴を正確に着弾させて光学機能関連部を形成することができることとなって、光学素子を所定の光学系に組み込む際に、当該光学素子の光学機能に関連する部材を別部材で設ける必要がなくなり、従来と同じ光学機能を有する光学系を部品点数を削減しながらも実現することができる。
従って、光学素子を有する光学系及びこの光学系が搭載される装置の小型化を図ることができる。
【００１３】
請求項２に記載の発明は、請求項１に記載の光学素子の製造方法において、
前記光学機能関連部形成工程は、前記光学素子に複数の前記光学機能関連部を重ねて形成することを特徴としている。
【００１４】
請求項１７に記載の発明は、請求項１６に記載の光学素子の製造装置において、
前記光学機能関連部形成部は、前記光学素子に複数の前記光学機能関連部を重ねて形成するように構成されていることを特徴としている。
【００１５】
請求項２又は１７に記載の発明によれば、光学素子に複数の光学機能関連部を重ねて形成することができるので、光学素子が組み込まれる光学系の部品点数をさらに削減することができる。
【００１６】
請求項３に記載の発明は、請求項１又は２に記載の光学素子の製造方法において、
前記金型キャビティには、前記光学素子の光学機能面部を成形するための光学機能面部成形部が設けられ、
前記成形工程は、前記金型の前記光学機能面部成形部により前記光学機能面部を成形することを特徴としている。
【００１７】
請求項１８に記載の発明は、請求項１６又は１７に記載の光学素子の製造装置において、
前記金型キャビティには、前記光学素子の光学機能面部を成形するための光学機能面部成形部が設けられ、
前記成形部は、前記金型の前記光学機能面部成形部により前記光学機能面部を成形するように構成されていることを特徴としている。
【００１８】
請求項３又は１８に記載の発明によれば、請求項１又は２に記載の発明又は請求項１６又は１７に記載の発明と同様の効果を得ることができる。
【００１９】
請求項４に記載の発明は、請求項３に記載の光学素子の製造方法において、
前記光学機能関連部形成工程は、前記光学素子の前記光学機能面部の略全面を覆うように、当該光学機能面部に入射する光の反射を防止する反射防止コートを形成することを特徴としている。
【００２０】
請求項１９に記載の発明は、請求項１８に記載の光学素子の製造装置において、
前記光学機能関連部形成部は、前記液滴吐出ヘッドによって、前記光学素子の前記光学機能面部の略全面を覆うように、当該光学機能面部に入射する光の反射を防止する反射防止コートを形成するように構成されていることを特徴としている。
【００２１】
請求項４又は１９に記載の発明によれば、請求項３に記載の発明又は請求項１８に記載の発明と同様の効果が得られるのは無論のこと、特に、光学素子に対して、当該光学素子の光学機能面部の略全面を覆うように、当該光学機能面部に入射する光の反射を防止する反射防止コートを正確に形成することができる。
【００２２】
請求項５に記載の発明は、請求項３又は４に記載の光学素子の製造方法において、
前記光学機能関連部形成工程は、前記光学素子の前記光学機能面部の一部の領域を覆うように、当該光学機能面部に入射する光束を絞るための絞り部を形成することを特徴としている。
【００２３】
請求項２０に記載の発明は、請求項１８又は１９に記載の光学素子の製造装置において、
前記光学機能関連部形成部は、前記液滴吐出ヘッドによって、前記光学素子の前記光学機能面部の一部の領域を覆うように、当該光学機能面部に入射する光束を絞るための絞り部を形成するように構成されていることを特徴としている。
【００２４】
請求項５又は２０に記載の発明によれば、請求項３又は４に記載の発明又は請求項１８又は１９に記載の発明と同様の効果が得られるのは無論のこと、特に、光学素子に対して、光学機能面部に入射する光束を絞るための絞り部を形成することができるので、光学素子が組み込まれる光学系に、当該光学素子の光学機能面部に入射する光束を絞る機能を有する部材を別部材で設ける必要がなくなる。
【００２５】
請求項６に記載の発明は、請求項１〜５の何れか一項に記載の光学素子の製造方法において、
前記金型キャビティには、前記光学素子の光学機能面部以外の部分である非光学機能面部を成形するための非光学機能面部成形部が設けられ、
前記成形工程は、前記金型の前記非光学機能面部成形部により前記非光学機能面部を成形することを特徴としている。
【００２６】
請求項２１に記載の発明は、請求項１６〜２０の何れか一項に記載の光学素子の製造装置において、
前記金型キャビティには、前記光学素子の光学機能面部以外の部分である非光学機能面部を成形するための非光学機能面部成形部が設けられ、
前記成形部は、前記金型の前記非光学機能面部成形部により前記非光学機能面部を成形するように構成されていることを特徴としている。
【００２７】
請求項６又は２１に記載の発明によれば、請求項１〜５に記載の発明又は請求項１６〜２０に記載の発明と同様の効果を得ることができる。
【００２８】
請求項７に記載の発明は、請求項６に記載の光学素子の製造方法において、
前記光学機能関連部形成工程は、前記光学素子の前記非光学機能面部の少なくとも一部の領域を覆うように、当該非光学機能面部に入射する光を遮光する遮光部を形成することを特徴としている。
【００２９】
請求項２２に記載の発明は、請求項２１に記載の光学素子の製造装置において、
前記光学機能関連部形成部は、前記液滴吐出ヘッドによって、前記光学素子の前記非光学機能面部の少なくとも一部の領域を覆うように、当該非光学機能面部に入射する光を遮光する遮光部を形成するように構成されていることを特徴としている。
【００３０】
請求項７又は２２に記載の発明によれば、請求項６に記載の発明又は請求項２１に記載の発明と同様の効果が得られるのは無論のこと、特に、光学素子に対して、非光学機能面部に入射する光を遮光する遮光部を形成することができるので、光学素子が組み込まれる光学系に、当該光学素子の非光学機能面部に入射する光を遮光する機能を有する部材を別部材で設ける必要がなくなる。
【００３１】
請求項８に記載の発明は、請求項６又は７に記載の光学素子の製造方法において、
前記光学素子の前記非光学機能面部に、所定溶液の液滴吐出によって当該光学素子を管理するための情報を有する管理情報部を所定形状に形成する管理情報部形成工程を備えることを特徴としている。
【００３２】
請求項２３に記載の発明は、請求項２１又は２２に記載の光学素子の製造装置において、
前記光学素子の前記非光学機能面部に、所定溶液を液滴吐出する液滴吐出ヘッドを有し、前記液滴吐出ヘッドの液滴吐出により当該光学素子を管理するための情報を有する管理情報部を所定形状に形成する管理情報部形成部を備えることを特徴としている。
【００３３】
ここで、管理情報部は、製造された光学素子のロット管理等に使用されるものであり、具体的には、製造日時や製造に使用された金型キャビティ等を示す情報等が挙げられる。
【００３４】
請求項８又は２３に記載の発明によれば、請求項６又は７に記載の発明又は請求項２１又は２２に記載の発明と同様の効果が得られるのは無論のこと、特に、所定溶液の液滴吐出により光学素子を管理するための情報を有する管理情報部を所定形状に形成することができる。従って、当該光学素子を取り扱う者にとって光学素子の管理を容易なものとすることができる。
【００３５】
請求項９に記載の発明は、請求項１〜８の何れか一項に記載の光学素子の製造方法において、
前記流入部には、所定の保持機構部により保持される被保持部を成形するための被保持部成形部が設けられ、
前記成形工程は、前記金型の前記被保持部成形部により前記被保持部を成形することを特徴としている。
【００３６】
請求項２４に記載の発明は、請求項１６〜２３の何れか一項に記載の光学素子の製造装置において、
前記位置決め部は、前記支軸部を保持する保持機構部を備え、
前記流入部には、前記保持機構部により保持される被保持部を成形するための被保持部成形部が設けられ、
前記成形部は、前記金型の前記被保持部成形部により前記被保持部を成形するように構成されていることを特徴としている。
【００３７】
請求項９又は２４に記載の発明によれば、請求項１〜８に記載の発明又は請求項１６〜２３に記載の発明と同様の効果が得られるのは無論のこと、特に、支軸部に被保持部を成形することができるので、支軸部の保持をより確実なものにすることができる。
【００３８】
請求項１０に記載の発明は、請求項９に記載の光学素子の製造方法において、前記流入部には、前記被保持部の断面積よりも小さい断面積を有するとともに前記光学素子に連設される架橋部を成形するための架橋部成形部が設けられ、
前記成形工程は、前記金型の前記架橋部成形部により前記架橋部を成形することを特徴としている。
【００３９】
請求項２５に記載の発明は、請求項２４に記載の光学素子の製造装置において、
前記流入部には、前記被保持部の断面積よりも小さい断面積を有するとともに前記光学素子に連設される架橋部を成形するための架橋部成形部が設けられ、
前記成形部は、前記金型の前記架橋部成形部により前記架橋部を成形するように構成されていることを特徴としている。
【００４０】
請求項１０又は２５に記載の発明によれば、請求項９に記載の発明又は請求項２４に記載の発明と同様の効果を得ることができる。
【００４１】
請求項１１に記載の発明は、請求項１〜１０の何れか一項に記載の光学素子の製造方法において、
前記位置決め工程は、前記支軸部或いは前記光学素子の所定位置を画像認識することにより前記光学素子の位置決めを行うことを特徴としている。
【００４２】
請求項２６に記載の発明は、請求項１６〜２５の何れか一項に記載の光学素子の製造装置において、
前記位置決め部は、前記位置決めを行う際に、前記支軸部或いは前記光学素子の所定位置を画像認識する画像認識部を備えることを特徴としている。
【００４３】
請求項１１又は２６に記載の発明によれば、請求項１〜１０に記載の発明又は請求項１６〜２５に記載の発明と同様の効果が得られるのは無論のこと、特に、支軸部或いは光学素子の所定位置を画像認識することで光学素子の位置決めを確実に行うことができる。
【００４４】
請求項１２に記載の発明は、請求項１０に記載の光学素子の製造方法において、
前記位置決め工程は、前記架橋部の所定位置を画像認識することにより前記光学素子の位置決めを行うことを特徴としている。
【００４５】
請求項２７に記載の発明は、請求項２５に記載の光学素子の製造装置において、
前記位置決め部は、前記位置決めを行う際に、前記架橋部の所定位置を画像認識する画像認識部を備えることを特徴としている。
【００４６】
請求項１２又は２７に記載の発明によれば、請求項１０に記載の発明又は請求項２５に記載の発明と同様の効果が得られるのは無論のこと、特に、架橋部の所定位置を画像認識することで光学素子の位置決めを確実に行うことができる。
【００４７】
請求項１３に記載の発明は、請求項１〜１２の何れか一項に記載の光学素子の製造方法において、
前記位置決め工程は、前記支軸部或いは前記光学素子の所定位置を所定の位置決め部材に当接させることにより前記光学素子の位置決めを行うことを特徴としている。
【００４８】
請求項２８に記載の発明は、請求項１６〜２７の何れか一項に記載の光学素子の製造装置において、
前記位置決め部は、前記位置決めを行う際に、前記支軸部或いは前記光学素子の所定位置を当接させるための位置決め部材を備えることを特徴としている。
【００４９】
請求項１３又は２８に記載の発明によれば、請求項１〜１２に記載の発明又は請求項１６〜２７に記載の発明と同様の効果が得られるのは無論のこと、特に、支軸部或いは光学素子の所定位置を位置決め部材に当接させることで光学素子の位置決めを確実に行うことができる。
【００５０】
請求項１４に記載の発明は、請求項１〜１３の何れか一項に記載の光学素子の製造方法において、
溶液は、光の被照射により硬化する性質を有する材料を含んで構成され、
前記光学素子に吐出された溶液に対して光を照射することにより当該溶液を硬化させる溶液硬化工程を備え、
前記溶液硬化工程後に、前記切断工程を行うことを特徴としている。
【００５１】
請求項２９に記載の発明は、請求項１６〜２８の何れか一項に記載の光学素子の製造装置において、
溶液は、光の被照射により硬化する性質を有する材料を含んで構成され、
前記光学素子に吐出された溶液に対して光を照射する光照射部を備え、
前記光照射部からの光の被照射により溶液が硬化された後に、前記切断部は前記支軸部を切断することを特徴としている。
【００５２】
請求項１４又は２９に記載の発明によれば、請求項１〜１３に記載の発明又は請求項１６〜２８に記載の発明と同様の効果を得ることができる。
【００５３】
請求項１５に記載の発明は、請求項１４に記載の光学素子の製造方法において、
溶液は、紫外線硬化性を有する材料を含んで構成され、
前記溶液硬化工程は、溶液に対して紫外線を照射することを特徴としている。
【００５４】
請求項３０に記載の発明は、請求項２９に記載の光学素子の製造装置において、
溶液は、紫外線硬化性を有する材料を含んで構成され、
前記光照射部は、溶液に対して紫外線を照射することを特徴としている。
【００５５】
請求項１５又は３０に記載の発明によれば、請求項１４に記載の発明又は請求項２９に記載の発明と同様の効果を得ることができる。
【００５６】
請求項３１に記載の発明は、請求項１〜１５の何れか一項に記載の光学素子の製造方法によって製造される光学素子であって、
電子機器に搭載される撮像装置に備えられ、前記撮像装置の撮像素子に集光させることを特徴としている。
【００５７】
請求項３１に記載の発明によれば、電子機器に搭載される撮像装置に備えられ、撮像装置の撮像素子に集光させる光学素子であっても、請求項１〜１５に記載の発明と同様の効果を得ることができる。
【００５８】
請求項３２に記載の発明は、請求項１〜１５の何れか一項に記載の光学素子の製造方法によって製造される光学素子であって、
光記録媒体上に集光することにより、当該光記録媒体への情報の記録及び前記光記録媒体に記録された情報の再生のうち、少なくとも一方を実行可能な光情報記録再生装置に備えられることを特徴としている。
【００５９】
請求項３２に記載の発明によれば、光記録媒体上に集光することにより、当該光記録媒体への情報の記録及び光記録媒体に記録された情報の再生のうち、少なくとも一方を実行可能な光情報記録再生装置に備えられる光学素子であっても、請求項１〜１５に記載の発明と同様の効果を得ることができる。
【００６０】
【発明の実施の形態】
以下に、本発明について、図面を用いて具体的な態様を説明する。ただし、発明の範囲は、図示例に限定されない。
ここで、図１は、本発明を適用した一実施の形態の光学素子の製造装置の要部構成を示すブロック図である。
【００６１】
図１に示すように、光学素子の製造装置１００は、光学成形部品６０を成形する成形部１と、成形部１により成形された光学成形部品６０の光学素子６１に対して、当該光学素子６１の光学機能に関連する光学機能関連部７０や管理情報を有する管理情報部８０を形成する液滴吐出部２と、この液滴吐出部２による光学機能関連部７０の形成の際に光学素子６１の位置決めを行う位置決め部３と、液滴吐出部２により光学機能関連部７０や管理情報部８０が形成された光学素子６１と架橋部６２とを切断する切断部４と、これらを統括的に制御する制御部５とを備えている。なお、上記の各部は、バスＹにより接続されている。
【００６２】
以下に、成形部１について図２及び図３を参照して詳細に説明する。ここで、図２は、成形部１に備わる金型１１の概観を示す図であり、図３は、図２の金型１１の光学素子成形部１１３の拡大断面図である。
成形部１は、例えば、図２に示す光学成形部品６０を成形するための金型１１と、金型１１内に溶融されたプラスチック樹脂を流入する樹脂流入機構１２とを備えて概略構成されている。
【００６３】
金型１１は、例えば、平面視にて略Ｈ字状に形成されており、この略Ｈ字の略中央に設けられ、溶融したプラスチック樹脂を当該金型１１の平面に対して垂直方向から流入するための流入口１１ａを有する大径樹脂流入経路１１１と、大径樹脂流入経路１１１に連続して略Ｈ字状に延在し、流入口１１ａから流入された樹脂によって光学成形部品６０の第一軸部（図示略）を成形するための第一樹脂流入経路１１２とを備えている。
また、金型１１は、公知のように、固定側と可動側で構成され、樹脂流入時にこれらが閉じられ、樹脂が流入された後に冷却され、成形が完了すると固定側と可動側が離間して金型１１の内部が開放され、成形された光学素子６１を取り出し可能となっている。
【００６４】
また、金型１１の略Ｈ字の第一樹脂流入経路１１２の樹脂の流れ方向の各末端部付近には、当該末端部から図２における左右方向の各々に延出した２つの光学素子成形部１１３が設けられており、各光学素子成形部１１３は、例えば、図３に示すように、第一樹脂流入経路１１２よりもわずかに小さい断面積を有する第二樹脂流入経路１１４と、この第二樹脂流入経路１１４よりも小さい断面積を有する架橋部成形部１１５と、樹脂の流れ方向の末端となる位置に配設された金型キャビティ１１６とを備えている。
【００６５】
第二樹脂流入経路１１４は、その樹脂の流れ方向の手前側の端部が第一樹脂流入経路１１２の樹脂の流れ方向の末端部に連続して形成されており、所定の断面積を有する光学成形部品６０の第二軸部６３を成形するためのものである。
また、第二樹脂流入経路１１４には、位置決め部３に備わる保持機構部３１（後述）により保持される被保持部６４を成形するための被保持部成形部１１７が形成されている。具体的には、被保持部成形部１１７は、外周面の図３における上面側と下面側とが略平面状の被保持部６４が成形されるように、第二樹脂流入経路１１４の図３における上面側と下面側が中心方向に突出して形成されている。
また、第二樹脂流入経路１１４の樹脂の流れ方向の末端部は、架橋部成形部１１５の樹脂の流れ方向の手前側の端部に連続して形成されている。
【００６６】
架橋部成形部１１５は、第二軸部６３及び光学素子６１に連続して形成される架橋部６２を成形するためのものである。この架橋部成形部１１５は、例えば、略平板状の架橋部６２が成形されるように、樹脂の流れ方向の断面が略矩形状に形成された部材である。
また、架橋部成形部１１５の樹脂の流れ方向の末端部は、金型キャビティ１１６の樹脂の流れ方向の手前側の端部に連続して形成されている。
【００６７】
上記の大径樹脂流入経路１１１、第一樹脂流入経路１１２、第二樹脂流入経路１１４及び架橋部成形部１１５によって、流入部が構成され、この流入部内に溶融樹脂が流入されることによって、光学素子６１に連設される支軸部としての第一軸部、第二軸部６３及び架橋部６２を成形可能とされている。
【００６８】
金型キャビティ１１６は、光学素子６１を成形するためのものであり、光学素子６１の光学機能面部６１ａを成形するための光学機能面部成形部１６ａと、光学素子６１の光学機能面部６１ａ以外の部分である当該光学機能面部６１ａの外周を取り囲むように形成されるフランジ部６１ｂ（非光学機能面部）を成形するための非光学機能面部成形部１６ｂとを備えている。
光学機能面部成形部１６ａは、例えば、凸型の光学レンズを成形可能となるように、中央部が図３における上下方向に略円弧状に凹むように略円盤状に形成されている。
また、非光学機能面部成形部１６ｂは、例えば、断面矩形状のフランジ部６１ｂを成形可能となるように、光学機能面部成形部１６ａの外周縁部に連続して形成され、光学機能面部成形部１６ａの外周方向に沿う断面が略矩形状となるように形成されている。
【００６９】
ここで、光学素子６１としては、例えば、デジタルカメラや携帯電話機等の電子機器に搭載される撮像装置に備えられ、この撮像装置の撮像素子に集光させるための光学素子や、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｋ）等の光記録媒体上に集光することにより、当該光記録媒体への情報の記録及び光記録媒体に記録された情報の再生のうち、少なくとも一方を実行可能な光情報記録再生装置に備えられる光学素子等が挙げられる。
また、光学素子６１の径寸法は、具体的には、例えば、５ｍｍ以下であり、好ましくは、３ｍｍ以下である。
【００７０】
このような構成の成形部１は、樹脂流入機構１２が流入口１１ａを介して金型１１内に溶融したプラスチック樹脂を流入することで、プラスチック樹脂を第一樹脂流入経路１１２から第二樹脂流入経路１１４、さらに架橋部成形部１１５を経て金型キャビティ１１６に対して流入し、冷却されて光学成形部品６０の成形が完了した後、金型１１が開放される。
これにより、金型１１の内面形状と略同形状とされた光学成形部品６０が成形される。即ち、金型１１によって成形される光学成形部品６０は、例えば、図４に示すように、第二樹脂流入経路１１４によって成形された第二軸部６３と、架橋部成形部１１５によって成形された架橋部６２と、金型キャビティ１１６によって成形された光学素子６１とから構成されている。
なお、図４においては、図３のＩＶ−ＩＶ線にて切断部４により切断された状態の光学成形部品６０を図示している。
【００７１】
また、金型１１の内面、すなわち成形面は、これまた公知である様々な加工方法で表面仕上げされている。特に、金型キャビティ１１６は、非球面だけでなく、回折構造輪帯、位相シフト輪帯、光路差付与輪帯等が形成されるよう構成することが可能である。この場合は、先端が比較的鋭いバイトを用いて、金型１１を切削加工する。金型１１の材料としては、メッキされた鉄をはじめ、適宜好ましい素材を選択することが可能となっている。
【００７２】
また、大径樹脂流入経路１１１、第一樹脂流入経路１１２、第二樹脂流入経路１１４、架橋部成形部１１５及び金型キャビティ１１６の径、形状並びに配置等は、金型１１の全体構成や、その他の事情に応じて、適宜任意に変更可能となっている。例えば、第一樹脂流入経路１１２、第二樹脂流入経路１１４及び架橋部成形部１１５に所定のカーブを形成することも可能である。また、第二樹脂流入経路１１４及び架橋部成形部１１５を共に樹脂の流れ方向に沿って直線状にして、これらが直交するような位置関係にしても構わない。このように構成すれば、金型１１が立体的な形状になり、光学素子６１の取り数が増えるという利点が得られる。
【００７３】
次に、位置決め部３について詳細に説明する。
位置決め部３は、成形部１により成形された光学成形部品６０の被保持部６４を保持する保持機構部３１と、保持機構部３１の駆動を制御する駆動制御部３２と、光学成形部品６０の所定位置を画像認識する画像認識部３３とを備えている。
【００７４】
駆動制御部３２は、図示は省略するが、例えば、保持機構部３１を所定方向に移動させるために駆動する例えば駆動モータ等の駆動源と、駆動源の駆動力を保持機構部３１に伝動可能な伝動部材等を備えている。
駆動制御部３２は、保持機構部３１が被保持部６４を保持する際に、光学成形部品６０が配置された位置までの保持機構部３１の移動及び当該保持機構部３１の所定軸周りの回転を制御し、そして、保持機構部３１による光学成形部品６０の被保持部６４の保持を制御した後、光学成形部品６０を保持した保持機構部３１の移動を制御するようになっている。
なお、上記光学成形部品６０を保持した保持機構部３１の移動において、駆動制御部３２は、画像認識部３３から出力された信号の入力に基づいて、前記保持機構部３１の移動を停止するようになっている。
また、駆動制御部３２は、液滴吐出部２による光学素子６１に対する光学機能関連部７０や管理情報部８０の形成終了後に、制御部５から出力された信号の入力に基づいて、光学成形部品６０を保持した保持機構部３１の切断部４の所定位置までの移動を制御するようになっている。
【００７５】
保持機構部３１は、図示は省略するが、例えば、略平面状に成形された被保持部６４を両側から挟持するチャック部を有し、このチャック部で被保持部６４を挟持することにより光学成形部品６０の保持が可能となっている。
【００７６】
画像認識部３３は、図示は省略するが、例えば、光源、レンズ、ＣＣＤ（Ｃｈａｒｇｅ  Ｃｏｕｐｌｅｄ  Ｄｅｖｉｃｅ）、Ａ／Ｄ変換部、認識処理部等を備えており、駆動制御部３２の制御下にて保持機構部３１により保持された光学成形部品６０を移動させる際に、当該光学成形部品６０の液滴吐出部２による光学機能関連部７０や管理情報部８０の形成位置に対応付けられた所定位置を認識可能に構成されている。即ち、画像認識部３３は、光源から照射された光のうち、保持機構部３１により保持された状態で移動する光学成形部品６０にて反射した光をＣＣＤにより読み取って電気信号（アナログ信号）に変換し、この電気信号をＡ／Ｄ変換部によりデジタル画像データに変換して、このデジタル画像データを認識処理部に出力する。その後、認識処理部は、デジタル画像データと光学成形部品６０のフォーマットデータとを比較判定することにより、移動する光学成形部品６０の所定位置を認識すると、駆動制御部３２に対して光学成形部品６０の停止に係る信号を出力する。
【００７７】
なお、画像認識部３３により認識される光学成形部品６０の位置は、例えば、第二軸部６３であっても良いし、また、架橋部６２であっても良いし、また、光学素子６１であっても良い。さらに、画像認識部３３により光学素子６１が認識される場合、光学素子６１のうち、光学機能面部６１ａであっても良いし、フランジ部６１ｂであっても良いのは勿論である。さらに、画像認識部３３によりフランジ部６１ｂは認識される場合、フランジ部６１ｂに設けられた、複数の金型キャビティ１１６のうちの何れの金型キャビティ１１６で成形されたかを示すマークであっても良い。
【００７８】
このように構成された位置決め部３により、保持機構部３１に保持された状態の光学成形部品６０の光学素子６１を、液滴吐出部２による光学機能関連部７０や管理情報部８０の形成位置まで移動可能となっている。
【００７９】
次に、液滴吐出部２について詳細に説明する。
液滴吐出部２は、光学素子６１の所定位置に対して、光として紫外線が照射されることで硬化する性質を有する溶液をノズルの吐出口から液滴として吐出する液滴吐出ヘッド２１と、光学素子６１に吐出され着弾した溶液に紫外線を照射する光照射部２２と、これら液滴吐出ヘッド２１と光照射部２２とを搭載支持するキャリッジ２３と、キャリッジ２３をＸ軸方向に往復移動させるＸ軸駆動部２４と、Ｘ軸駆動部２４をＹ軸方向に往復移動させるのに伴わせてキャリッジ２３をＹ軸方向に往復移動させるＹ軸駆動部２５とを備えている。
【００８０】
Ｙ軸駆動部２５は、図示は省略するが、例えば、基台上に配設されており、Ｘ軸駆動部２４のＹ軸方向への往復移動を案内するのに伴わせてキャリッジ２３のＹ軸方向への往復移動を案内するＹ軸案内部材と、キャリッジ２３をＹ軸方向へ移動させるために駆動する例えば駆動モータ等のＹ軸駆動源と、Ｙ軸駆動源の駆動力をキャリッジ２３に伝動可能な例えばタイミングベルト等のＹ軸伝動部材（図示略）とを備えている。
【００８１】
Ｘ軸駆動部２４は、図示は省略するが、例えば、キャリッジ２３のＸ軸方向への往復移動を案内するＸ軸案内部材と、キャリッジ２３をＸ軸方向へ移動させるために駆動する例えば駆動モータ等のＸ軸駆動源と、Ｘ軸駆動源の駆動力をキャリッジ２３に伝動可能な例えばタイミングベルト等のＸ軸伝動部材とを備えている。
【００８２】
上記構成のＹ軸駆動部２５及びＸ軸駆動部２４によって、キャリッジ２３は、水平面内における全ての方向に対して水平移動が可能となっている。
【００８３】
液滴吐出ヘッド２１は、液滴吐出部２にて使用される溶液の各々に応じて複数設けられている。即ち、本実施の形態にあっては、液滴吐出ヘッド２１は、例えば、光学素子６１の光学機能面部６１ａに対して反射防止コート７１を施すための溶液、光学機能面部６１ａにフィルター部７２を形成するための溶液、光学機能面部６１ａに絞り部７３を形成するための溶液、光学素子６１のフランジ部６１ｂに対して遮光部７４を形成するための溶液、フランジ部６１ｂに対して所定形状の管理情報部８０を形成するための溶液の各々に対応させた５つの液滴吐出ヘッド２１が設けられている。
また、液滴吐出ヘッド２１は、例えば、その下面にノズル（図示略）の吐出口（図示略）が形成されたノズル面が設けられ、このノズル面が光学機能関連部７０の形成時において位置決め部３により位置決めされた光学成形部品６０の光学素子６１に対向するように配置されている。
【００８４】
また、各液滴吐出ヘッド２１の内部には、例えば、ピエゾ素子（圧電素子）等の吐出手段（図示略）が設けられており、この吐出手段の作動により、吐出口から溶液を液滴として吐出することで、光学素子６１に対して所定形状の光学機能関連部７０並びに管理情報部８０を形成可能となっている。このように、液滴吐出ヘッド２１は、光学機能関連部形成部並びに管理情報部形成部を構成している。
なお、各吐出口から吐出される一滴（１ドット）当たりの液滴の吐出量は、例えば、２ｐｌ以上２０ｐｌ以下である。また、前記吐出量は２ｐｌ以上１０ｐｌ以下であることが好ましく、更に好ましくは４ｐｌ以上７ｐｌ以下である。
【００８５】
ここで、光学機能関連部７０は、光の光学素子６１の透過状態を変化させるといった光学機能に関連するものである。この光学機能関連部７０としての反射防止コート７１、フィルター部７２、絞り部７３、遮光部７４は、例えば、図５に示すように、所定の形状を有する薄膜状に形成されたものであり、反射防止コート７１、フィルター部７２、絞り部７３の順に積層されるように形成されている。
具体的には、反射防止コート７１は、例えば、光学素子６１の光学機能面部６１ａのうち、光の入射側の面の略全面を覆うような形状に形成されるものであり、光学機能面部６１ａに入射する光の反射を防止する機能を有している。
また、フィルター部７２は、例えば、光学素子６１の光学機能面部６１ａのうち、光の入射側の面の略全面を覆うような形状に形成されるものであり、光学機能面部６１ａに入射する光のうち、特定の波長の光のみを透過させる機能を有している。
また、絞り部７３は、例えば、光学機能面部６１ａの一部の領域を覆うように、即ち、光学機能面部６１ａの光の入射側の面の周縁部に沿って所定幅を有し環状に形成されるものであり、当該光学機能面部６１ａに入射する光束を絞る機能、つまり、光学機能面部６１ａの絞り値（Ｆ値）を規定する機能を有している。さらに、遮光部７４は、例えば、フランジ部６１ｂの少なくとも一部の領域を覆うように、即ち、フランジ部６１ｂの光の入射側である環状平面部の全面を覆うような形状に形成されたものであり、フランジ部６１ｂに入射する光を遮光する機能を有している。
【００８６】
さらに、本実施の形態において、反射防止コート７１の形成に用いられる溶液は、光学素子６１に形成された反射防止コート７１が被写体の撮像に必要な光線全般を十分に透過するように調整されている。
また、フィルター部７２の形成に用いられる溶液は、光学素子６１に形成されたフィルター部７２が赤外線や紫外線等の撮像に不要な光を透過させないように調製されている。
また、絞り部７３及び遮光部７４の形成に用いられる溶液は、光学素子６１に形成された絞り部７３及び遮光部７４が光を透過させないように、光透過率ができる限り０（ゼロ）に近い値となるように調製されている。
【００８７】
また、本実施の形態において、管理情報部８０は、製造された光学素子６１のロット管理等に使用されるものであり、具体的には、製造日時や製造に使用された金型キャビティ１１６等を示す情報から構成されている。この管理情報部８０としては、例えば、文字、記号、バーコード、図形等が挙げられる。
なお、管理情報部８０は、文字、記号、バーコード、図形のうちの何れか一つから管理情報が構成されても良いし、複数が組み合わされて管理情報が構成されても良い。
【００８８】
光照射部２２は、キャリッジ２３の所定位置に配設されており、紫外線を照射可能な例えば複数の光源（図示略）を備えている。そして、光照射部２２は、液滴吐出ヘッド２１から光学素子６１に吐出された液滴により形成された所定の光学機能関連部７０や管理情報部８０に対して、紫外線を照射することで、前記光学機能関連部７０や管理情報部８０を光学素子６１の所定位置にて硬化させて定着させるようになっている。
【００８９】
なお、上記光源としては、例えば、高圧水銀ランプ、メタルハライドランプ、熱陰極管、冷陰極管、発光ダイオード並びに半導体レーザ等が適用可能なっている。
【００９０】
また、液滴吐出ヘッド２１と光照射部２２は、当該光照射部２２から照射された光に液滴吐出ヘッド２１のノズル面が曝露されると、ノズル面の各吐出口内の溶液が硬化してしまうため、前記ノズル面に入射する光を低減可能な構成となっている。ここで、ノズル面に入射する光を低減可能な構成としては、具体的には、例えば、光照射部２２から照射されノズル面に入射する光を遮光する遮光手段を設ける構成や、液滴吐出ヘッド２１と光照射部２２とを、当該光照射部２２からの光が液滴吐出ヘッド２１に入射しない程度に所定間隔をもって配置する構成等が挙げられる。
【００９１】
次に、切断部４について詳細に説明する。
切断部４は、例えば光学成形部品６０の所定位置を当該光学成形部品６０の長手方向に直交する方向に沿って切断するためのカッター部４１と、カッター部４１を光学成形部品６０の長手方向に直交する方向に往復移動させるために駆動する例えば駆動モータ等の駆動源４２と、駆動源４２の駆動力をカッター部４１に伝動するための例えばタイミングベルト等の伝動機構部４３と、カッター部４１を光学成形部品６０の切断位置まで移動させるための移動機構部４４とを備えている。
【００９２】
次に、制御部５について詳細に説明する。
制御部５は、ＣＰＵ（Ｃｅｎｔｒａｌ  Ｐｒｏｃｅｓｓｉｎｇ  Ｕｎｉｔ）５ａ、ＲＡＭ（Ｒａｎｄｏｍ  Ａｃｃｅｓｓ  Ｍｅｍｏｒｙ）５ｂ、ＲＯＭ（Ｒｅａｄ  Ｏｎｌｙ  Ｍｅｍｏｒｙ）５ｃ等から構成されている。
【００９３】
ＲＯＭ５ｃは、光学素子の製造装置１００の各部の動作に関する各種制御プログラム（図示省略）や、成形プログラムｃ１、位置決めプログラムｃ２、光学機能関連部形成プログラムｃ３、管理情報部形成プログラムｃ４、溶液硬化プログラムｃ５、切断プログラムｃ６等の他に、各種プログラムの実行に係る制御データ（図示省略）等が記憶されている。
ＲＡＭ５ｂは、電力が供給されている間だけ入力されたデータを複数記憶可能に構成されており、ＣＰＵ５ａによる作業領域と、光学素子６１に対する光学機能関連部７０や管理情報部８０の形成を指示するための光学機能関連部データ並びに管理情報部データ等を記憶する記憶領域などが備えられている。
【００９４】
ＣＰＵ５ａは、ＲＯＭ５ｃに格納されている各種プログラムの中から指定されたプログラムを、ＲＡＭ５ｂ内の作業領域に展開して、当該プログラムに従った各種処理を実行する。
具体的には、ＣＰＵ５ａは、成形プログラムｃ１を実行することで、成形部１を制御して、流入部及び金型キャビティ１１６を備える金型１１内に溶融された樹脂を流入して第一軸部、第二軸部６３及び架橋部６２が光学素子６１に連設された光学成形部品６０を成形させる。
また、ＣＰＵ５ａは、位置決めプログラムｃ２を実行することで、位置決め部３を制御して、金型１１内から取り出された光学成形部品６０の被保持部６４を保持して、光学素子６１に光学機能関連部７０や管理情報部８０を形成する際の当該光学素子６１の位置決めを行わせる。
さらに、ＣＰＵ５ａは、光学機能関連部形成プログラムｃ３を実行することで、液滴吐出部２を制御して、位置決め部３により位置決めされた光学素子６１の光学機能面部６１ａの所定位置に対して、液滴吐出ヘッド２１から所定溶液を液滴として吐出して光学機能関連部７０を所定形状に形成させる。ここで、ＣＰＵ５ａは、溶液硬化プログラムｃ５を実行することで、光照射部２２を制御して、光学素子６１の所定位置に形成された光学機能関連部７０に対して紫外線を照射して当該光学機能関連部７０を硬化させ、前記所定位置に定着させる。
また、ＣＰＵ５ａは、管理情報部形成プログラムｃ４を実行することで、上記と同様にして、液滴吐出部２を制御して、位置決め部３により位置決めされた光学素子６１のフランジ部６１ｂの所定位置に対して、液滴吐出ヘッド２１から所定溶液を液滴として吐出して管理情報部８０を所定形状に形成させる。ここで、ＣＰＵ５Ａは、溶液硬化プログラムｃ５を実行することで、光照射部２２を制御して、フランジ部６１ｂの所定位置に形成された管理情報部８０に対して紫外線を照射して当該管理情報部８０を硬化させ、前記所定位置に定着させる。
さらに、ＣＰＵ５ａは、切断プログラムｃ６を実行することで、切断部４を制御して、液滴吐出部２により光学機能関連部７０や管理情報部８０が形成された光学素子６１と架橋部６２と切断させる。
【００９５】
次に、制御部５の制御下における光学素子６１の製造工程について、図６を参照して説明する。
ここで、図６は、光学素子６１の製造工程を説明するためのフローチャートである。
【００９６】
先ず、制御部５のＣＰＵ５ａは、ＲＯＭ５ｃから成形プログラムｃ１を読み出して実行し、成形部１を制御することで、樹脂流入機構１２によって金型１１内に溶融されたプラスチック樹脂を流入して、プラスチック樹脂が冷却されることで光学成形部品６０を成形する（ステップＳ１：成形工程）。
具体的には、先ず、金型１１をプラスチック樹脂、例えばポリカーボネートのガラス転位点温度よりも数度低い状態で保温しておき、この金型１１内に、溶融したプラスチック樹脂を流入して射出成形する。
そして、所定時間経過させることで、金型１１内にてプラスチック樹脂を固化させて光学成形部品を成形し、金型１１を開放することで、当該金型１１の内面形状と略同形状とされた光学成形部品６０を取り出す。
【００９７】
次に、ＣＰＵ５ａは、ＲＯＭ５ｃから切断プログラムｃ６を読み出して実行し、切断部４を制御することで、移動機構部４４によって、光学成形部品６０の第二軸部６３の所定位置（例えば、図３のＩＶ−ＩＶ線）までカッター部４１を移動させて、当該カッター部４１にて前記所定位置を切断して、図４に示すような光学成形部品６０を作製する。
【００９８】
続けて、ＣＰＵ５ａは、ＲＯＭ５ｃから位置決めプログラムｃ２を読み出して実行し、位置決め部３を制御することで、保持機構部３１にて第二軸部６３の被保持部６４を保持し、光学成形部品６０ごと保持機構部３１を、画像認識部３３により認識される、液滴吐出部２による光学機能関連部７０や管理情報部８０の形成位置に対応付けられた所定位置まで移動させる。これにより、液滴吐出部２による光学機能関連部７０や管理情報部８０の形成位置に、光学成形部品６０の光学素子６１を確実に位置決めする（ステップＳ２：位置決め工程）。
【００９９】
次に、ＣＰＵ５ａは、ＲＯＭ５ｃから光学機能関連部形成プログラムｃ３を読み出して実行し、液滴吐出部２を制御することで、光学機能関連部データに基づき、位置決め部３により位置決めされた光学素子６１に対して、当該光学素子６１の所定位置に液滴吐出ヘッド２１の吐出口が対向するようにキャリッジ２３を移動させるとともに、液滴吐出ヘッド２１から所定溶液を液滴として吐出することにより光学機能関連部７０を所定形状に形成する（ステップＳ３：光学機能関連部形成工程）。ここで、ＣＰＵ５ａは、光学機能関連部７０の各々を形成するごとに、ＲＯＭ５ｃから溶液硬化プログラムｃ５を読み出して実行し、液滴吐出部２を制御することで、前記光学素子６１に形成された光学機能関連部７０に対し光照射部２２から紫外線を照射して、前記光学機能関連部７０を硬化させて、光学素子６１の所定位置に定着させる（ステップＳ４：溶液硬化工程）。
【０１００】
次に、ＣＰＵ５ａは、ＲＯＭ５ｃから管理情報部形成プログラムｃ４を読み出して実行し、液滴吐出部２を制御することで、管理情報部データに基づき、位置決め部３により位置決めされた光学素子６１に対して、当該光学素子６１の所定位置に液滴吐出ヘッド２１の吐出口が対向するようにキャリッジ２３を移動させるとともに、液滴吐出ヘッド２１から所定溶液を液滴として吐出することにより管理情報部８０を所定形状に形成する（ステップＳ５：管理情報部形成工程）。ここで、ＣＰＵ５ａは、ＲＯＭ５ｃから溶液硬化プログラムｃ５を読み出して実行し、液滴吐出部２を制御することで、前記光学素子６１に形成された管理情報部８０に対し光照射部２２から紫外線を照射して、前記管理情報部８０を硬化させて、光学素子６１の所定位置に定着させる（ステップＳ６：溶液硬化工程）。
【０１０１】
そして、ＣＰＵ５ａは、ＲＯＭ５ｃから切断プログラムｃ６を読み出して実行し、切断部４を制御することで、移動機構部４４によって、光学機能関連部７０や管理情報部８０が形成された光学素子６１と架橋部６２との境目の部分までカッター部４１を移動させて、当該カッター部４１にて前記境目の部分を切断し（ステップＳ７：切断工程）、これにより、光学素子６１の製造を完了する。
【０１０２】
次に、本発明に係る光学素子の製造方法により製造された光学素子９０の実施例１について、図７を参照して説明する。
＜実施例１＞
実施例１は、光学素子の製造装置１００を用いて、デジタルカメラや携帯電話機等の電子機器（図示略）に搭載される撮像装置２００に備わる光学素子９０を製造して、当該光学素子９０を撮像装置２００に組み込んだ場合についてのものである。
ここで、図７は、本発明に係る光学素子の製造方法により製造された光学素子９０の実施例１を説明するためのものであり、光学素子９０を備える撮像装置２００の要部拡大断面図である。
【０１０３】
図７に示すように、撮像装置２００は、一枚の基板ＰＣの一方の面上に設けられ、光を感じるセンサとなる撮像素子２０１、撮像素子２０１に集光させるための光学素子９０、撮像素子２０１を覆い隠す外枠部材としての鏡枠２０２、光学素子９０に対して押圧力を付与する押圧部材２０３、押圧部材２０３を押圧する押圧板２０４、押圧板２０４に支持されるカバーガラス２０５、光学素子９０の位置決めを行うための位置決め電気部品２０６等を備えている。
【０１０４】
撮像素子２０１は、矩形薄板状に形成された部材であり、撮像素子２０１の下面を基板ＰＣの上面に当接させて配設されている。
また、撮像素子２０１は、例えばＣＭＯＳ型イメージセンサ、ＣＣＤ型イメージセンサ等からなり、撮像素子２０１の上面中央には、画素が２次元的に配列され撮像領域としての光電変換部２０１ａが形成されている。光電変換部２０１ａの外側には、処理部（図示しない）が形成されており、処理部の外縁近傍には、複数のパッド（図示しない）が配置されている。パッドは、外部接続用端子であり、図７に示すように、ワイヤＷを介して基板ＰＣ上の所定の回路に接続されている。
【０１０５】
上記構成の撮像素子２０１は、光学素子９０により集光され入射した画像に対応する光を検出し、検出した光を電気信号に変換して、画像データを生成する。そして、撮像素子２０１は、作成した画像データを所定の回路により、電子機器の図示しない制御部に出力するようになっている。
【０１０６】
また、撮像素子２０１の上方には、当該撮像素子２０１の上面に光学素子９０の当接部９１の下端を当接させるようにして光学素子９０が配設されている。
【０１０７】
光学素子９０は、撮像素子２０１の光電変換部２０１ａに被写体像を結像させるものであり、透明なプラスチック樹脂を素材とし、例えば管状のフランジ部としての脚部９２と、脚部９２に支持される凸レンズ形状の光学機能面部としてのレンズ部９３とが一体的に形成されている。
脚部９２は、下端に当接部９１が形成された下脚部９２ａと、下脚部９２ａの上端に連続するように形成された上脚部９２ｂと、上脚部９２ｂの上端に連続して形成され、脚部９２の上端を塞ぐ板状の上面部９２ｃと、上面部９２ｃに連続して形成され、当該上面部９２ｃとレンズ部９３とを接続する接続部９２ｄとを備えており、接続部９２ｄの内周縁部に連続して上面部９２ｃの略中央となる位置にレンズ部９３が形成されている。
【０１０８】
また、光学素子９０には、光学機能関連部７０として、レンズ部９３に反射防止コート７１、フィルター部７２及び絞り部７３が形成され、光学素子９０の接続部９２ｄ及び上面部９２ｃに遮光部７４が形成されている。さらに、上面部に管理情報部８０が形成されている。
光学機能関連部７０及び管理情報部８０は、光学素子９０が撮像装置２００に組み込まれる前、即ち、光学素子９０の製造時において、光学素子の製造装置１００によって形成されたものである。
【０１０９】
ここで、光学素子の製造装置１００による光学素子９０の製造時における光学機能関連部７０及び管理情報部８０の形成手順を説明する。
具体的には、光学素子の製造装置１００は、先ず、反射防止コート７１形成用の溶液を吐出可能な液滴吐出ヘッド２１により、レンズ部９３の光の入射側の面の全面を覆うような形状の反射防止コート７１を形成した後、光照射部２２により反射防止コート７１に対して紫外線を照射して当該反射防止コート７１を硬化させる。
次に、光学素子の製造装置１００は、フィルター部７２形成用の溶液を吐出可能な液滴吐出ヘッド２１により、反射防止コート７１を覆うような形状のフィルター部７２を形成した後、光照射部２２によりフィルター部７２に対して紫外線を照射して当該フィルター部７２を硬化させる。
続けて、光学素子の製造装置１００は、絞り部７３形成用の溶液を吐出可能な液滴吐出ヘッド２１により、レンズ部９３のフィルター部７２が形成された光の入射側の面の周縁部に沿って所定幅を有する環状の絞り部７３を形成した後、光照射部２２により絞り部７３に対して紫外線を照射して当該絞り部７３を硬化させる。
次に、光学素子の製造装置１００は、遮光部７４形成用の溶液を吐出可能な液滴吐出ヘッド２１により、接続部９２ｄの光の入射側の面及び上面部９２ｃの全面を覆うような形状の遮光部７４を形成した後、光照射部２２により遮光部７４に対して紫外線を照射して当該遮光部７４を硬化させる。
さらに、光学素子の製造装置１００は、管理情報部８０形成用の溶液を吐出可能な液滴吐出ヘッド２１により、遮光部７４が形成された上面部９２ｃの光の入射側の面に所定形状の管理情報部８０を形成した後、光照射部２２により管理情報部８０に対して紫外線を照射して当該管理情報部８０を硬化させる。
【０１１０】
上記のように、光学素子９０には、光学機能関連部７０としてフィルター部７２、絞り部７３及び遮光部７４が形成されているので、撮像装置２００に、特定の波長の光、即ち、例えば赤外線を吸収する特性を有する素材からなるフィルターや、光学素子９０に入射する光の量を調節するための絞り部材や、光学素子９０に入射する光を遮光するための遮光部材等を設ける必要がなくなり、撮像装置２００の小型化に寄与することができる。
また、光学素子９０には、管理情報部８０が形成されているので、撮像装置２００の製造者が、当該光学素子９０の製造日時や、製造に使用された金型キャビティ１１６等を認識することができる。
【０１１１】
当接部９１は、例えば、３つ（図７においては、２つのみを図示している。）設けられている。なお、当接部９１の個数は、適宜任意に変更可能となっているが、当接部９１が３つ設けられた場合が、最もがたつきにくく、光学素子９０を安定した状態で撮像素子２０１上に設置することができる。
【０１１２】
また、光学素子９０を、例えば小型の電子機器等に内蔵させる場合においては、光学素子９０の光軸方向の高さが１５ｍｍ以下であることが好ましい。
なお、光学素子９０の形状は、上記したようなものに限られない。
【０１１３】
鏡枠２０２は、遮光性を有する素材からなり、光学素子９０の外側に配置されている。
また、鏡枠２０２は、例えば略四角柱状に形成され、そのうち対向する二つの内側面には、水平方向に沿って光学素子９０を支持する支持部２０２ａが一体に形成されている。
【０１１４】
さらに、鏡枠２０２の下端部は、基板ＰＣ上に鏡枠が取り付けられる際の接着部位に接着剤Ｂを介して固着される。
一方、鏡枠２０２の上端部には、接着剤Ｂを用いて押圧板２０４が取り付けられている。
押圧板２０４は、光学素子９０のレンズ部９３に対応する位置に、第二の絞りとしての開口を有している。開口の下方には、接着剤Ｂを用いてカバーガラス２０５が接合されている。
【０１１５】
なお、押圧板２０４とカバーガラス２０５とによってカバー部材が構成されている。これにより、基板ＰＣと鏡枠とカバー部材とが密着し接合した状態となっているので、撮像装置２００は、防塵、防湿の構造を有している。
【０１１６】
光学素子９０と押圧板２０４との間には、例えば、コイルばねなどの弾性部材により構成された押圧部材２０３が配置されている。
押圧部材２０３は、鏡枠２０２に押圧板２０４が取り付けられることで、押圧板２０４によって押圧されて、弾性変形する。これにより、押圧部材２０３は、光学素子９０を図７中、下方に向かって所定の押圧力により押圧して、光学素子９０を撮像素子２０１に付勢する。ここで、押圧板２０４から下方の撮像素子２０１に向かう力が加わった際に、押圧部材２０３が弾性変形することにより、その力を吸収する緩衝作用が働くので、その力は直接撮像素子２０１には伝達されず、撮像素子２０１が破損することを防ぐ効果がある。
【０１１７】
このような構成の撮像装置２００が電子機器に設けられることによって、例えば、落下等により電子機器が衝撃を受けた場合であっても、光学素子９０や絞り板等の精度を必要とする部品が移動部品として配設されていないことから、前記移動部品が位置ずれしたり壊れたりすることが防止され、電子機器としての信頼性を高めることができる。
【０１１８】
以上のように、光学素子の製造装置１００によれば、架橋部６２の切断前において、光学素子６１（９０）に光学機能関連部７０を液滴吐出により形成する際に、保持機構部３１にて光学素子６１に連設された被保持部６４を保持して当該光学素子６１の位置決めを正確に行うことができる。よって、液滴吐出部２により、光学素子６１に対して紫外線硬化型の溶液を液滴として正確に着弾させて、紫外線を照射することで光学機能関連部７０を硬化させ、前記光学素子６１に定着させることができる。これにより、光学素子６１を所定の光学系に組み込む際に、当該光学素子６１の光学機能に関連する部材を別部材で設ける必要がなくなり、従来と同じ光学機能を有する光学系を部品点数を削減しながらも実現することができる。
従って、光学素子６１を有する光学系及びこの光学系が搭載される装置の小型化を図ることができる。
【０１１９】
さらに、光学素子６１に対して、当該光学素子６１の光学機能面部６１ａ全面を覆うように、当該光学機能面部６１ａに入射する光の反射を防止する反射防止コート７１を正確に形成することができる。
また、光学素子６１に対して、光学機能面部６１ａに入射する光束を絞るための絞り部７３を形成することができるので、光学素子６１が組み込まれる光学系に、当該光学素子６１の光学機能面部６１ａに入射する光束を絞る機能を有する部材を別部材で設ける必要がなくなる。
さらに、光学素子６１に反射防止コート７１、フィルター部７２及び絞り部７３を重ねて形成することができるので、光学素子６１が組み込まれる光学系の部品点数をさらに削減することができる。
【０１２０】
また、光学素子６１に対して、非光学機能面部６１ｂに入射する光を遮光する遮光部７４を形成することができるので、光学素子６１が組み込まれる光学系に、当該光学素子６１の非光学機能面部６１ｂに入射する光を遮光する機能を有する部材を別部材で設ける必要がなくなる。
【０１２１】
さらに、所定溶液の液滴吐出により光学素子６１を管理するための情報を有する管理情報部８０を所定形状に形成することができるので、製造された光学素子６１のロット管理等に使用することができ、当該光学素子６１を取り扱う者にとって光学素子６１の管理を容易なものとすることができる。
【０１２２】
また、光学素子６１の位置決めの際に、画像認識部３３にて光学成形部品６０の所定位置を画像認識することで光学素子６１の位置決めを確実に行うことができる。
【０１２３】
＜変形例１＞
以下に、光学素子の製造方法の変形例１について図８を参照して説明する。
ここで、図８は、光学素子の製造方法の変形例１を説明するためのものであり、製造される光学素子６１に光学機能関連部７０並びに管理情報部８０を形成した状態を示す拡大断面図である。
【０１２４】
図８に示すように、光学素子６１のフランジ部６１ｂには、当該フランジ部６１ｂの光の入射側となる図８における上側の環状平面部の全面に加えて、当該フランジ部６１ｂの周面部の架橋部６２が接続された部分よりも図８における上側の部分の全面を覆うような形状の遮光部７４が形成されている。
即ち、この変形例の光学素子の製造方法にあっては、例えば、少なくとも遮光部７４形成用の溶液を吐出可能な液滴吐出ヘッド２１及び光照射部２２が、位置決め部３により位置決めされた光学素子６１の外周面に沿って当該光学素子６１を囲むように配設されている。
【０１２５】
以下に、本発明に係る変形例１の光学素子の製造方法により製造された光学素子の実施例２について、図９を参照して説明する。
＜実施例２＞
実施例２は、光学素子の製造装置１００を用いて、光ピックアップ装置３００に備えられる、コリメータレンズ３０３、対物レンズ３０５、シリンドリカルレンズ３０６、凹レンズ３０７等の光学素子３１０を製造して、当該光学素子３１０を光ピックアップ装置３００に組み込んだ場合についてのものである。
ここで、図９は、本発明に係る光学素子の製造方法により製造された光学素子３１０の実施例２を説明するためのものであり、光学素子３１０を備える光ピックアップ装置３００の構成の一例を示す光路図である。
【０１２６】
光ピックアップ装置３００は、光記録媒体Ｄへの情報の記録及び光記録媒体Ｄに記録された情報の再生のうち、少なくとも一方を実行可能な光情報記録再生装置であり、例えば、図９に示すように、レーザ発振器Ｒから出射されたレーザ光が、ビームシェイパ３０１を透過した後、ビームスプリッタ３０２、コリメータレンズ３０３、１／４波長板３０４、対物レンズ３０５を経て、透明保護基板を有する光記録媒体Ｄの情報記録面Ｄ１で反射して戻り、ビームスプリッタ３０２で取り出されて、シリンドリカルレンズ３０６、凹レンズ３０７を経て光センサ３０８に向かうように構成されている。
【０１２７】
コリメータレンズ３０３、対物レンズ３０５、シリンドリカルレンズ３０６、凹レンズ３０７は、プラスチック樹脂から形成されており、これらのレンズには、光学機能関連部７０及び管理情報部８０が形成されている。
【０１２８】
ここで、対物レンズ３０５に光学機能関連部７０及び管理情報部８０を形成する際の具体的な実施条件を示す。
なお、光学機能関連部７０及び管理情報部８０の形成において、以下に説明する以外の点は、上記実施例１の場合と略同様であるので、その説明を省略する。
【０１２９】
＜実施条件＞
環境温度：２５℃、湿度：６９％ＲＨ（Ｒｅｌａｔｉｖｅ  Ｈｕｍｉｄｉｔｙ）
溶液の粘度：２３ｍＰａ・ｓ（２５℃）、溶液の表面張力：３４ｍＮ／ｍ
液滴吐出ヘッドの解像度：３６０ｄｐｉ（ｄｏｔ  ｐｅｒ  ｉｎｃｈ）、液滴吐出ヘッド及び溶液の温度：３６℃
光照射部：ウシオ電機製ＳＰ５、光の照射時間：溶液の着弾後５秒以内に、１０〜２０秒間照射
【０１３０】
対物レンズ３０５は、凸レンズ形状の光学機能面部６１ａとしてのレンズ部３０５ａを有し、このレンズ部３０５ａの光の入射方向に沿った二つの面には、これらの面の全面を覆うような形状の反射防止コート７１が施されている。さらに、反射防止コート７１のうち、レンズ部３０５ａのレーザ発振器Ｒ側の面に施された方には、その周縁部に沿って所定幅を有し環状に形成された絞り部７３が形成されている。
また、対物レンズ３０５のレンズ部３０５ａの外周縁部に連続して形成されたフランジ部３０５ｂには、当該フランジ部３０５ｂのうち、架橋部６２が接続される部分を除く面を覆うような形状の遮光部７４が形成されている。
なお、遮光部７３、７４の形成おいては、溶液としてカーボンブラックが分散された溶液を用いた。
さらに、対物レンズ３０５のフランジ部３０５ｂを構成する、遮光部７４が形成された外周面の所定位置には、管理情報部８０が形成されている。
【０１３１】
コリメータレンズ３０３の光学機能面部６１ａを構成する光の入射方向に沿った二つの面には、これらの面の全面を覆うような形状の反射防止コート７１が施されている。
また、コリメータレンズ３０３の被光学機能面部６１ｂを構成する外周面の所定位置には、管理情報部８０が形成されている。
【０１３２】
シリンドリカルレンズ３０６の光学機能面部６１ａを構成する光の入射側の面には、この面の全面を覆うような形状の反射防止コート７１が施されている。
また、シリンドリカルレンズ３０６の被光学機能面部６１ａを構成する外周面の所定位置には、管理情報部８０が形成されている。
【０１３３】
凹レンズ３０７の光学機能面部６１ａを構成する光の入射側の面には、この面の全面を覆うような形状の反射防止コート７１が施されている。
また、凹レンズ３０７の被光学機能面部６１ａを構成する外周面の所定位置には、管理情報部８０が形成されている。
【０１３４】
以上のように、変形例１の光学素子の製造方法によれば、コリメータレンズ３０３、対物レンズ３０５、シリンドリカルレンズ３０６、凹レンズ３０７等の光学素子３１０に対しても光学機能関連部７０や管理情報部８０を形成することができ、製造された光学素子３１０が搭載された光ピックアップ装置３００を小型化することができる。
【０１３５】
なお、上記変形例では、光学素子３１０の外周面に遮光部７４を形成可能となるように、複数の液滴吐出ヘッド２１及び光照射部２２を光学素子３１０をその外周面に沿って取り囲むように配設するような構成としたが、これに限られるものではなく、例えば、保持機構部３１を固定した状態で、液滴吐出ヘッド２１及び光照射部２２を搭載するキャリッジ２３を前記光学素子３１０の外周面に沿って移動可能となるような構成としても良いし、また、キャリッジ２３を固定した状態で、光学成形部品６０を保持する保持機構部３１を当該光学成形部品６０の光学素子３１０の外周面が前記キャリッジ２３に搭載された液滴吐出ヘッド２１及び光照射部２２に対向するように移動可能となるような構成としても良い。
【０１３６】
また、上記変形例では、光学機能関連部７０や管理情報部８０が形成される光学素子３１０として、コリメータレンズ３０３、対物レンズ３０５、シリンドリカルレンズ３０６、凹レンズ３０７を例示したが、これに限られるものではなく、光ピックアップ装置３００に備わり、プラスチック樹脂から形成された光学素子３１０であれば、如何なるものであっても良く、例えば、カップリングレンズやその他のレンズであっても良い。
【０１３７】
さらに、光ピックアップ装置３００のうち、使用波長が異なる例えばＣＤやＤＶＤの双方に対して各種情報の記録及び／又は再生を行うものの場合、本発明に係る光学素子の製造方法及び光学素子の製造装置１００によってダイクロイックフィルタを形成するような構成であっても良い。
【０１３８】
＜変形例２＞
以下に、変形例２について図１０を参照して説明する。
ここで、図１０は、変形例２の光学素子の製造装置及び光学素子の製造方法を説明するためのものであり、成形された光学成形部品６０を位置決め部材３４に当接させた状態を示す斜視図である。
【０１３９】
変形例２の光学素子の製造装置１００は、位置決め部３に、光学素子６１に対して光学機能関連部７０や管理情報部８０を形成する場合における当該光学素子６１の位置決めの際に、第二軸部６３の所定位置を当接させるための位置決め部材３４が備えられている。即ち、位置決め部材３４は、例えば、図１０に示すように、光学成形部品６０の長手方向に略直交する方向に延在する長尺な棒状の部材である。そして、位置決め部材３４は、液滴吐出部２による光学機能関連部７０や管理情報部８０の形成位置に対応付けられた所定位置に配設されている。
従って、保持機構部３１により光学成形部品６０が保持された状態で、当該光学成形部品６０を移動させる際に、第二軸部６３の所定位置を位置決め部材３４に当接させることにより、液滴吐出部２による光学素子６１に対する光学機能関連部７０や管理情報部８０の形成の際の当該光学素子６１の位置決めを正確に行うことができる。
【０１４０】
なお、上記変形例２では、光学素子６１の位置決めを行う際に、位置決め部材３４を第二軸部６３に当接させるような構成としたが、これに限られるものではなく、位置決め部材３４に当接させる場所は光学成形部品６０の如何なる場所であっても良く、例えば、光学成形部品６０の架橋部６２であっても良いし、また、光学素子６１であっても良い。さらに、第二軸部６３の所定位置にて光学成形部品６０が切断されずに、金型１１から取り出された直後の状態の光学成形部品６０を用いて光学素子６１の位置決めを行う場合には、第一軸部を位置決め部材３４に当接させても良い。即ち、具体的には、第二軸部６３の切断前の光学成形部品６０にあっては、略Ｈ字の略中央に形成された大径樹脂流入経路１１１によって成形された起立軸部（図示略）が保持機構部３１によって保持され、この状態で、起立軸部を軸にして所定方向に回転させることで、第一軸部を位置決め部材３４に当接させるような構成であっても良い。
【０１４１】
なお、上記実施の形態に用いられる溶液としては、光照射、好ましくは紫外線照射により硬化するものであって、水、有機溶剤を含むものである。有機溶剤としては、水溶性のものが好ましい。また、水と水溶性溶剤を混合した溶液も好適に使用される。特に、水を溶剤として含む水系の溶液は、環境や安全性の観点で好ましい。
【０１４２】
この水系の溶液は、さらに水溶性の重合性化合物および重合開始剤を含有し、さらに光重合開始剤を含むことが好ましい。
【０１４３】
このような不揮発性の水系の溶液を使用しても、生産性の向上のための高速での光学機能関連部７０の形成を実現することが可能であり、光重合開始剤を含めることで、光源からの光照射により記録媒体上の溶液の硬化反応が促進されるため、高速での光学機能関連部７０の形成がより容易になる。
【０１４４】
以下に、本発明に好ましく用いられる水系の溶液について説明する。
【０１４５】
（重合性化合物）
本発明に用いられる重合性化合物は、ラジカル重合可能なエチレン性不飽和結合を有する化合物であり、分子中にラジカル重合可能なエチレン性不飽和結合を少なくとも１つ有する化合物であればどの様なものでもよく、モノマー、オリゴマー、ポリマー等の化学形態を持つものが含まれる。ラジカル重合性化合物は１種のみ用いてもよく、また目的とする特性を向上するために任意の比率で２種以上を併用してもよい。
【０１４６】
また、本発明に用いられるラジカル重合可能なエチレン性不飽和結合を有する化合物は、併せて１分子中に少なくとも１個のカルボキシル基を有する化合物が好ましく、そのような化合物としては
【０１４７】
（１）２塩基酸無水物とヒドロキシ基含有のアクリル酸エステル或いはメタクリル酸エステルとの反応生成物：それらの代表的な化合物としては、無水コハク酸、無水オルソフタル酸、無水マレイン酸などと、２−ヒドロキシエチルメタクリレート、３−クロロ−２−ヒドロキシプロピルメタクリレートとの反応物である。
【０１４８】
（２）エポキシ樹脂のアクリル酸エステルの２級水酸基に２塩基酸無水物を反応せしめた化合物：それらの代表的な化合物としては、ビスフェノール型エポキシ樹脂であるエピコート８２８、エピコート１００１（商品名；油化シェルエポキシ製）、多価アルコール脂肪族エポキシ樹脂であるデナコール（商品名；ナガセ化成製）、例えば１、４−ブタンジオールジグリシジルエーテル、トリメチロールプロパンジグリシジルエーテル、ペンタエリスルトリグリシジルエーテル、環状脂肪族エポキシ樹脂であるセロキサイド（商品名；ダイセル化学製）などにアクリル酸エステルを反応させた後、残留しているか、新たに生成した水酸基に無水コアク酸、無水マレイン酸を反応させて得られる化合物である。
【０１４９】
（３）アクリル酸或いはメタクリル酸の多価アルコールエステルに２塩基酸無水物を反応せしめた化合物：これらの代表的な化合物としてはアクリル酸のグリコールないしポリエチレングリコールエステルに無水コハク酸、無水マレイン酸を反応させて得られる化合物である。ここで用いられるグリコールないしポリエチレングリコールとしては、分子量６００以下程度のものがよい。
【０１５０】
（４）分子鎖の中にカルボキシル基側鎖を有する水溶性のウレタンアクリレート及びメタクリレート：紫外線硬化樹脂としてのオリゴマーの合成は公知であるが、カルボキシル側鎖を有するオリゴマー化合物を合成するには、オリゴマー合成反応の途中で無水トリメリット酸に代表される多塩基酸、或いは、ジメチロールプロピオン酸などに代表される、１分子中に２個の水酸基と１個のカルボキシル基を有する化合物が利用される。
【０１５１】
また、以上例示した化合物（１）〜（４）は、塩基によって中和され、水に易溶の化合物となる。用いる塩基の具体例としては、アンモニア、メチルアミン、エチルアミン、ジメチルアミン、ジエチルアミン、ｎ−ブチルアミン、ジ−ｎ−ブチルアミン、トリメチルアミン、エチレンジアミン、ジエチレントリアミン、トリエチレンテトラアミン、テトアエチレンペンタミン、プロピレンジアミン、エタノールアミン、ヘキシルアミン、ラウリルアミン、ジエタノールアミン、トリエタノールアミン、モルフォリン、ピペリジン、プロピルアミン、イソプロピルアミン、イソブチルアミン、ＮａＯＨ、ＬｉＯＨ、ＫＯＨなどが挙げられる。ここで、紫外線硬化性化合物にエッチング液に対する化学的な抵抗性を与え、且つ強アルカリで紫外線硬化性化合物を基板から剥離可能とするには、用いる塩基としては有機塩基が好ましく、その中でも揮発性の高い塩基がとりわけ好ましく、それ自身の沸点が常圧下で１９０℃以下である塩基が好ましい。
【０１５２】
本発明において、水溶性の重合性化合物を用いることは好ましい形態の１つである。また、併せて水溶性重合開始剤を用いることも好ましい形態の１つである。本発明に用いられる水溶性重合性化合物および水溶性重合開始剤としては、例えば特開２００２−１８７９１８号公報に記載のものが挙げられる。
【０１５３】
（着色剤）
本発明に用いられる着色剤としては、従来から知られている顔料及び染料が使用できる。顔料としては、例えば、フタロシアニン系、アゾ系、キナクリドン系、ジオキサンジン系、ジケトピロロピロール系等の各種の有彩色有機顔料、カーボンブラック、チタンホワイト、シリカ、マイカ、酸化亜鉛等の無機顔料等が挙げられる。
【０１５４】
着色剤として顔料を用いる場合には、その顔料を水性媒体中に均一に分散させた水性顔料分散体を使用し、本発明に係る水性光硬化型樹脂組成物と混合させることが好ましい。水性顔料分散体としては、特に、アニオン性官能基によって水中に顔料が安定に分散されている水性顔料分散体を使用することが好ましい。例えば、ノニオン系或いはアニオン系において安定な、水性グラビアインキ、水性の筆記具用の顔料分散液や、従来公知のインクジェットインク用の顔料分散体等を、そのまま応用することが可能である。
【０１５５】
アニオン性解離基を持ち、アルカリ可溶性の水溶性高分子を用いて分散された顔料分散体としては、例えば、特開平５−２４７３９２号公報、特開平８−１４３８０２号公報に開示されている。また、アニオン性解離基を持つ界面活性剤によって分散された顔料分散体としては、特開平８−２０９０４８号公報に開示されている。また、高分子によってカプセル化されその表面にアニオン性解離基を付与することによって分散された顔料分散体としては、特開平１０−１４００６５号公報、特開平９−３１６３５３号公報、特開平９−１５１３４２号公報、特開平９−１０４８３４号公報、特開平９−０３１３６０号公報に開示されている。更に、顔料表面に化学反応によってアニオン性解離基を結合することで顔料を分散させた顔料分散体としては、ＵＳＰ５，８３７，０４５号及びＵＳＰ５，８５１，２８０明細書に開示されるような分散体がある。
【０１５６】
着色剤として染料を用いた場合は、上記の顔料を用いた場合と異なり、紫外線照射による退色が全く無い状態で使用することはできず、多少は退色を伴う。この理由から、溶液の色材として染料を適用する場合には、金属イオンで錯体を形成しているところの、所謂、アゾ含金染料を用いることが光による退色が少ないので好ましい。しかし、退色の水準を問題にしなければ、一般の水溶性染料であっても、少なくとも溶液組成物としては成り立つ。
【０１５７】
本発明の水系光硬化性の溶液には、水以外に溶媒成分を添加することもできる。溶媒成分は、溶液に不揮発性を与え、粘度を低下させ、且つ、基材への濡れ性を与えるため等の目的で添加される。非吸収性基材の場合には、溶媒成分を溶液に含ませずに、水だけを含有させて、重合性物質成分の全てが硬化して固体化するように構成することが望ましい。
【０１５８】
以下に、本発明の水系の溶液に用いることのできる比較的容易に蒸発乾燥する水溶性有機溶媒を列挙する。本発明の溶液においては、これらの有機溶媒の中から、任意に選択した溶媒を添加させることができる。例えば、エチレングリコールモノメチルエーテル、エチレングリコールモノエチルエーテル、エチレングリコールモノイソプロピルエーテル、エチレングリコールモノアリルエーテル、ジエチレングリコールモノメチルエーテル、ジエチレングリコールモノエチルエーテル、トリエチレングリコーリモノメチルエーテル、トリエチレングリコールモノエチルエーテル、プロピレングリコールモノメチルエーテル、ジプロピレングリコールモノメチルエーテル等のグリコールエーテル類、そして１価アルコール類等が挙げられる。
【０１５９】
この他に、必要に応じて重合禁止剤、界面活性剤、レベリング添加剤、マット剤、膜物性を調整するためのポリエステル系樹脂、ポリウレタン系樹脂、ビニル系樹脂、アクリル系樹脂、ゴム系樹脂、ワックス類を添加することができる。
【０１６０】
本発明の水系硬化性溶液は、含有させた着色剤の吸収特性に合わせて、溶液中における触媒と重合性物質の濃度を調節することが好ましい。配合量としては、水或いは溶剤の量を、３〜６８質量％の範囲、好ましくは５０〜６５質量％の範囲とする。更に、溶液中における重合性化合物の含有量は、溶液全量に対して、５質量％以上、好ましくは、１０％〜９０質量％の範囲とする。光重合開始剤は、重合性化合物に対して０．０１〜１５質量％、好ましくは、０．１〜１０質量％の範囲である。
【０１６１】
溶液の着色剤として顔料が使用される場合には、溶液中における純顔料分の濃度は、概ね、溶液全量に対して０．３〜１５質量％の範囲である。顔料の着色力は顔料粒子の分散状態に依存するが、約０．３〜１質量％の範囲であると、淡色の溶液として利用される範囲となる。また、それ以上であると、一般のカラー着色用に用いられる濃度を与える。
【０１６２】
また、本発明に用いられる溶液は、顔料分散体を用いて溶液組成物の粘度が２５℃で１０〜５００ｍＰａ・ｓで、３５℃以上に、加熱することにより１〜３０ｍＰａ・ｓになるよう組成比を決める。
【０１６３】
室温での粘度を上げることにより、吸収性のある記録媒体にも溶液の浸透を防ぎ、未硬化モノマーの低減、臭気低減が可能となり、着弾時のドット滲みを抑えることができ、画質が改善される。また、表面張力の違う基材間でも同じようなドットが形成されるため、同じような画質が得られる。１０ｍＰａ・ｓ未満では、滲み防止効果が小さく、５００ｍＰａ・ｓより大きいと、溶液の供給に問題が生じる。
【０１６４】
また、安定な出射性を得るためには溶液組成物が１〜３０ｍＰａ．ｓとなることが好ましい。
【０１６５】
本発明に係る水性光硬化型溶液に含有されている前記に挙げた各種の重合性物質は、いずれも酸性の官能基を有するため、水に溶解するには、塩基による中和と解離の状態とすることが望ましい。従って、通常は、アルカリ金属、アルコールアミン、アンモニア、モルフォリン、ピぺリジン等によって中性から塩基性に調節され、その後に、水に溶解される。この際、１級、２級のアミノ基を有する化合物を使用することは、水溶液中においても重合性物質の二重結合への付加（マイケル付加）が起こる可能性があるので、避けた方がよい。この反応は、極性基によって阻害を受けるので、水が多量に存在するうちは、反応は極めて僅かしか進むことはない。従って、どの程度、１級、２級のアミノ基を有する化合物の使用を避けるべきかは、組成物の保存保証期間に依存する。
【０１６６】
溶液は、使用する原材料をいかなる順序で混合してもよいが、混合時の安定性を確保するために、全ての材料が中性から塩基性であるように、予め調節しておくことが好ましい。混合時には、不均一な状態を長く保持することないように、速やかに撹拌を行うことが好ましい。色材として、顔料分散体を使用する場合には、均一性を損なわないように、混合した後、更によく撹拌を行うことが好ましい。
【０１６７】
なお、上記実施の形態に用いられる溶液の組成は、プラスチック樹脂の構成素材によっても適宜任意に変更可能となっている。即ち、溶液の組成とプラスチック樹脂の構成素材との組合せの種類によっては、液ハジキ等が発生することとなるが、溶液の組成とプラスチック樹脂の構成素材との組合せを変更することで、上記のような問題を発生させないように対応可能となっている。
【０１６８】
また、上記実施の形態に用いられる溶液は、紫外線の被照射により硬化するものであるが、必ずしもこれには限定されず、紫外線以外の光の被照射により硬化するものであっても良い。ここでいう「光」とは、広義の光であって、紫外線、電子線、Ｘ線、可視光線、赤外線等の電磁波を含むものである。つまり、上記実施の形態に用いられる溶液には、紫外線以外の光で重合して硬化する重合性化合物と、紫外線以外の光で重合性化合物どうしの重合反応を開始させる光開始剤とが適用されても良い。紫外線以外の光で硬化する光硬化型のインクを上記実施の形態に用いる場合は、その光を照射する光源を本発明に係る光照射部２２として適用する必要がある。
【０１６９】
なお、本発明は、上記実施の形態に限定されることなく、本発明の趣旨を逸脱しない範囲において、種々の改良並びに設計の変更を行っても良い。
例えば、上記実施の形態では、電子機器に備わる撮像装置２００や光ピックアップ装置３００等の電子機器に搭載される光学素子６１（９０、３１０）を製造する場合を例示したが、これに限られるものではない。即ち、本発明に係る光学素子の製造方法及び光学素子の製造装置１００によって製造される光学素子６１は、例えば、銀塩フィルムを用いた所謂アナログカメラ用の光学素子であっても良いのは勿論である。
【０１７０】
さらに、上記実施の形態では、光学素子６１に光学機能関連部７０としての反射防止コート７１、フィルター部７２、絞り部７３を積層するように形成したが、これに限られるものではなく、光学素子６１の所定領域ごと、即ち、輪帯別に異なる光学機能関連部７０を形成するような構成であっても良い。例えば、光学素子６１の絞り部７３が形成される領域には、反射防止コート７１やフィルター部７２を形成しておく必要がないことから、光学素子６１の所定領域に対しては絞り部７３を形成し、絞り部７３が形成された領域以外の領域に対して反射防止コート７１やフィルター部７２を形成するような構成であっても良い。
【０１７１】
また、上記実施の形態では、第二軸部６３に略平面状の部分を有する被保持部６４を形成した場合を例にとって説明したが、これに限られるものではない。即ち、被保持部６４の位置、形状、寸法等は、適宜任意に変更可能となっているのは勿論であり、この場合、保持機構部３１のチャック部の形状、寸法等も、上記被保持部６４の位置、形状、寸法等に対応させて変更可能となっている。
【０１７２】
また、位置決め部３による位置決め方法は、上記実施の形態で例示した画像認識や位置決め部材３４を用いた方法に限られるものではなく、光学素子６１の位置決めを正確に行うことができる方法であれば、如何なる方法であっても良いのは勿論である。例えば、光学成形部品６０の所定位置を検知する位置検知センサを用いた方法であっても良い。
【０１７３】
さらに、本発明に係る光学機能関連部７０としての反射防止コート７１、フィルター部７２、絞り部７３、遮光部７４の形成及び硬化の順序は、適宜任意に変更可能であるのは勿論であり、加えて、管理情報部８０の形成及び硬化のタイミングも適宜任意に変更可能となっている。
【０１７４】
また、金型１１による成形直後の光学成形部品６０は比較的温度が高いため、この光学成形部品６０の温度にて仮硬化する性質を有する溶液を用いて、光学機能関連部７０や管理情報部８０の形成を行い、この際に、光学素子６１に吐出され着弾した溶液の仮硬化に、成形直後の前記光学成形部品６０の温度を使用するような構成であっても良い。具体的には、金型１１による光学成形部品６０の成形直後は、当該光学成形部品６０の温度は、金型１１の温度と略等しくなっているが、金型１１の開放により、光学成形部品６０が外部の雰囲気に接触することで、例えば３０秒につき１〜２℃程度低下することから、光学成形部品６０の温度が外部雰囲気の温度まで低下する前に、液滴吐出ヘッド２１から溶液を吐出させて光学機能関連部７０や管理情報部８０を形成することが好ましい。これにより、光学素子６１に着弾後の溶液の液だれの発生を減少させることができる。
【０１７５】
さらに、上記実施の形態では、光学機能関連部７０及び管理情報部８０の形成を、光の被照射により硬化する性質を有する溶液を用いて行うようにしたが、これに限られるものではなく、光の被照射により硬化しない溶液を用いても良い。この場合には、光学機能関連部形成部および管理情報部形成部としての液滴吐出部２の構成を光照射部２２を除いたものとすることができ、当該液滴吐出部２の構成を簡略化することができる。
【０１７６】
また、本発明において、切断部４による架橋部６２の切断タイミングは、液滴吐出部２による光学機能関連部７０の形成後であれば如何なるタイミングであっても良い。即ち、例えば、架橋部６２の切断前における、第二軸部６３、架橋部６２及び光学素子６１からなる光学成形部品６０の状態で、当該光学成形部品６０を撮像装置２００や光ピックアップ装置３００等に組み込んだ後、切断部４にて架橋部６２を切断するような構成であっても良い。これにより、所定の光学系に対しての光学素子６１の組み込みに際して、第二軸部６３や架橋部６２を保持して作業することができ、光学素子の組み込みを容易なものにすることができる。
【０１７７】
さらに、本発明にあっては、液滴吐出部２をプラスチック樹脂に対する腐食作用を有する溶液を液滴吐出可能な構成として、光学素子６１の光学機能面部６１ａに対して粗面加工を施すようにしても良い。
また、液滴吐出部２を紫外線等の光の被照射により接着作用が生じる接着剤を液滴吐出可能な構成としても良い。
【０１７８】
【発明の効果】
本発明の光学素子の製造方法によれば、支軸部の切断前において、光学素子に光学機能関連部を液滴吐出により形成する際に、光学素子に連設された支軸部を保持して当該光学素子の位置決めを正確に行うことができる。よって、光学素子に対して液滴を正確に着弾させて光学機能関連部を形成することができることとなって、光学素子を所定の光学系に組み込む際に、当該光学素子の光学機能に関連する部材を別部材で設ける必要がなくなり、従来と同じ光学機能を有する光学系を部品点数を削減しながらも実現することができる。
従って、光学素子を有する光学系及びこの光学系が搭載される装置の小型化を図ることができる。
【０１７９】
本発明の光学素子の製造装置によれば、支軸部の切断前において、光学素子に光学機能関連部を液滴吐出により形成する際に、光学素子に連設された支軸部を保持して当該光学素子の位置決めを正確に行うことができる。よって、光学素子に対して液滴を正確に着弾させて光学機能関連部を形成することができることとなって、光学素子を所定の光学系に組み込む際に、当該光学素子の光学機能に関連する部材を別部材で設ける必要がなくなり、従来と同じ光学機能を有する光学系を部品点数を削減しながらも実現することができる。
従って、光学素子を有する光学系及びこの光学系が搭載される装置の小型化を図ることができる。
【０１８０】
本発明の光学素子によれば、本発明に係る光学素子の製造方法又は光学素子の製造装置と同様の効果を得ることができる。
【図面の簡単な説明】
【図１】本発明を適用した一実施の形態の光学素子の製造装置の要部構成を示すブロック図である。
【図２】図１の光学素子の製造装置に備わる成形部の金型の概観を示す図である。
【図３】図２の金型の光学素子成形部の拡大断面図である。
【図４】図３の金型により成形された光学成形部品を示す斜視図である。
【図５】図４の光学成形部品の光学素子に光学機能関連部並びに管理情報部を形成した状態を示す拡大断面図である。
【図６】図１の光学素子の製造装置による光学素子の製造工程を説明するためのフローチャートである。
【図７】本発明に係る光学素子の製造方法により製造された光学素子の実施例１を説明するための要部拡大断面図である。
【図８】光学素子の製造方法の変形例１を説明するための図である。
【図９】本発明に係る光学素子の製造方法により製造された光学素子の実施例２を説明するための図である。
【図１０】変形例２の光学素子の製造装置及び光学素子の製造方法を説明するための図である。
【符号の説明】
１００      光学素子の製造装置
１          成形部
１１        金型
１１１      大径樹脂流入経路（流入部）
１１２      第一樹脂流入経路（流入部）
１１４      第二樹脂流入経路（流入部）
１１５      架橋部成形部（流入部）
１１６      金型キャビティ
１１７      被保持部成形部
１６ａ      光学機能面部成形部
１６ｂ      非光学機能面部成形部
２          液滴吐出部（光学機能関連部形成部、管理情報部形成部）
２１        液滴吐出ヘッド
２２        光照射部
３          位置決め部
３１        保持機構部
３３        画像認識部
３４        位置決め部材
４          切断部
６１、９０、３１０  光学素子
６１ａ      光学機能面部
６１ｂ      フランジ部（非光学機能面部）
６２        架橋部（支軸部）
６３        第二軸部（支軸部）
６４        被保持部
７０        光学機能関連部
７１        反射防止コート
７３        絞り部
７４        遮光部
８０        管理情報部
２００      撮像装置
２０１      撮像素子
３００      光ピックアップ装置（光情報記録再生装置）
３０３      コリメータレンズ（光学素子）
３０４      対物レンズ（光学素子）
３０６      シリンドリカルレンズ（光学素子）
３０７      凹レンズ（光学素子）
Ｄ          光記録媒体
【図１】
2004322362.tif 000003
【図２】
2004322362.tif 000004
【図３】
2004322362.tif 000005
【図４】
2004322362.tif 000006
【図５】
2004322362.tif 000007
【図６】
2004322362.tif 000008
【図７】
2004322362.tif 000009
【図８】
2004322362.tif 000010
【図９】
2004322362.tif 000011
【図１０】
2004322362.tif 000012